(57)【要約】【課題】  段ボールを使用する事により、紙などの平面印刷媒体に印刷した印刷物51では得られない視覚効果が得られるようにした印刷物51及びこれを用いた段ボール製品60を提供すること。【解決手段】  何れかの面に印刷が施された印刷物51であって、当該印刷が施される面側には、ハニカム構造端面34が露出して存在しており、望ましくは正面側にハニカム構造端面34が露出し、背面側には板状又はシート状の背面部材10が設けられ、前記印刷は、ハニカム構造端面34、及び／又はハニカム構造端面34における開口の底面に存在する背面部材10に施した印刷物51とする。【選択図】図２
2017113951.tif 000002
【特許請求の範囲】
【請求項１】
何れかの面に印刷が施された印刷物であって、
当該印刷が施される面側には、ハニカム構造端面が露出して存在することを特徴とする印刷物。
【請求項２】
正面側にハニカム構造端面が露出すると共に、背面側には板状又はシート状の背面部材が設けられており、
前記印刷は、ハニカム構造端面、及び／又はハニカム構造端面における開口の底面に存在する背面部材に施されている請求項1に記載の印刷物。
【請求項３】
正面側にハニカム構造端面が露出すると共に、背面側には板状又はシート状の背面部材が設けられており、
ハニカム構造端面からインク吐出方式によって印刷したインクが、ハニカムにおける開口の底面に存在する背面部材に到達している、請求項１又は２に記載の印刷物。
【請求項４】
正面側にハニカム構造端面が露出すると共に、背面側には板状又はシート状の背面部材が設けられており、
当該背面部材は光を透過するように形成されている、請求項１〜４の何れか一項に記載の印刷物。
【請求項５】
段ボールからなる段ボール製品であって、
少なくとも何れかの面には、請求項１〜４の何れか一項に記載の印刷物が露出していることを特徴とする、段ボール製品。
【発明の詳細な説明】
【技術分野】
【０００１】
本発明は段ボールの新たな利用分野を提供するものであり、特に段ボールを使用した印刷物、及びこの印刷物を使用した段ボール製品に関する。
【背景技術】
【０００２】
段ボールは紙やプラスチックなどの様々な材料を用いて形成されており、紙製の段ボールの殆どは包装用、保管容器としての段ボール箱として利用されている。その他にも、当該段ボールは、椅子や机などの家具、商品を陳列・展示したり各種情報を表示する為のディスプレイ、玩具、葬儀用祭壇等としても利用されている。
【０００３】
そしてこれらの様々な用途で使用される段ボールは、装飾や情報伝達の目的で印刷が施される場合も多い。しかし従前における当該段ボールに対する印刷は、表面のライナー面か、或いは中芯の凹凸面に施されているに過ぎなかった。この内、中芯に印刷を行う技術は、例えば特許文献１（実開昭５４−１３４７８６号公報）が提案されている。この文献では、片面段ボールが凹凸形状を有するために印刷上困難が生じるとの課題を解決するべく、中芯に裏ライナーを段頂接着してなる片面段ボールの中芯の段頂部に刻印が施され、該刻印部に或いは該刻印部以外の少なくとも該刻印部の隣接段頂部に印刷が施されて立体感あらしめる様構成される片面段ボールを提案している。
【０００４】
また、前記段ボールは緩衝材の用途でも使用されている。例えば特許文献２（特開平７−３３１６８号公報）では、従来汎用されていたプラスチック製の緩衝材は、使用後の処理が難しいことに鑑み、包装箱と被包装物との間に生じる不定形の空間に充填する緩衝材として、紙質の段ボールや板紙を素材とし、汎用性があり、かつ、カサ比重が小さいものを提供するべく、片面段ボールを円柱状に巻き、接着固化せしめた後、所定寸法、形状に切断した紙質緩衝材を提案している。
【先行技術文献】
【特許文献】
【０００５】
【特許文献１】実開昭５４−１３４７８６号公報
【特許文献２】特開平７−３３１６８号公報
【発明の概要】
【発明が解決しようとする課題】
【０００６】
前記の通り、従前における段ボールの用途は、物品の梱包や保存、或いは緩衝材としての用途が殆どであり、その他の用途としては家具やディスプレイなどに利用されているに過ぎなかった。そこで本発明は、段ボールの新たな用途を開拓することで、段ボールの商品価値を高める事のできる印刷物及びこれを用いた段ボール製品を第一の課題とする。
【０００７】
また、従前においても装飾性を高めるためや、特定の情報を伝達するために、段ボールのライナー面や中芯の凹凸面に印刷を施す事はあった。しかしながら、本来、段ボールはライナーと中芯とで構成されている所、印刷面として使用されるのは、広さ方向に展開するライナー面や中芯の凹凸面に限られていた。そして中芯の凹凸面に印刷する事で、立体感を表現する事は提案されているが、その作用効果は中芯の凹凸分でしかなかった。ここで、従前においては、緩衝材の用途において、多段段ボールの中芯の端面がハニカム構造で露出しているものも提供されているが、その用途との関係において、装飾などの印刷が検討されるものとはなっていなかった。
【０００８】
そこで本発明は、段ボールを使用する事により、紙などの平面印刷媒体に印刷した印刷物では得られない視覚効果が得られるようにした印刷物及びこれを用いた段ボール製品を提供する事を第二の課題とする。
【課題を解決するための手段】
【０００９】
上記課題の少なくとも何れかを解決するべく、本発明者は鋭意研究を行った結果、ライナーと中芯とを多段に積層させた段ボールにおいて、中芯の端面が露出することによるハニカム面に着目し、本発明を完成させるに至ったものである。
【００１０】
即ち本発明では、何れかの面に印刷が施された印刷物であって、当該印刷が施される面側には、ハニカム構造端面が露出して存在する印刷物を提供する。
【００１１】
かかる印刷物においては、印刷が施される面には、ハニカム構造に形成された一定の長さを有するハニカム部材の端面（即ち、ハニカム構造端面）が露出していることから、従前における平坦な面に印刷した印刷物とは異なる、新たな視覚効果を発現させる事ができる。
【００１２】
かかるハニカム構造端面は、ハニカム構造で一定の長さに形成されたハニカム部材の端面によって形成する他、ライナーと中芯とを多段に積層させた段ボールにおいて、凸凹に湾曲している中芯の端面として形成する事もできる。特に前記ハニカム部材としては、帯状部材を交差させて組み合わせることによりハニカム構造を形成したり、厚さ方向に曲折する帯状部材を、その端面が同一平面内に存在する様に複数連結することによりハニカム構造を形成したり、更には筒状に形成されている部材を、端面を揃えて連結することにより、ハニカム構造を形成するようにし、これらをハニカム部材として使用する事ができる。
【００１３】
かかるハニカム構造端面を構成するハニカム部材（段ボールを含む）は、ハニカム面の展開する方向と交差する向きに一定の長さを有して形成されている事から、当該ハニカム構造端面に出現する開口は、奥行きを有するものとなる。これにより、本発明にかかる印刷物は、平面に印刷した印刷物とは異なる視覚効果を実現する事ができる。具体的には、当該ハニカム構造端面が存在することにより、印刷した絵柄（写真などを含む）やキャラクタ（文字を含む）が、奥行き感のある立体的となり、見る角度によって異なる様相となる視野角を有するものとなり、更には見る距離によって緻密さが大きく異なる油絵の様な印象を発現する等の視覚効果を発現させることができる。
【００１４】
また、本発明における「ハニカム構造端面」とは、正六角柱を隙間なく並べた端面の構造に限られるものではなく、正六角柱に限らず立体図形を隙間なく並べた構造体（三次元空間充填構造体）の端面の構造を含む意味である。即ち、このハニカム構造端面に出現する開口の形状は、正六角形に制限されることなく、三角形その他の多角形であったり、円形であったり、様々な形状が混在するものであって良い。なお、このハニカム構造端面に出現する開口の大きさは、任意であって良いが、望ましくは１つの開口の大きさが縦横２０ｍｍ以下に形成されていることが望ましい。
【００１５】
また、本発明にかかる印刷物において、印刷を施す面が正面側に存在する場合において、前記ハニカム構造端面は正面側に露出して存在すると共に、背面側には板状又はシート状の背面部材を設ける事ができる。
【００１６】
このハニカム構造端面を構成する材料（即ちハニカム部材の材料）又は背面部材を構成する材料は、紙を用いる他、プラスチック、金属、又は木材の何れであっても良い。当該ハニカム構造端面を紙で形成した場合には、印刷に使用するインキの付着性が良く、また紙製段ボールにおける新たな用途を開拓する事ができるため望ましい。なお、当該ハニカム構造端面は、紙製又はプラスチック製の多段段ボールを使用して形成する他、紙製又はプラスチック製の段ボールを積層させて形成する事ができる。即ち、紙やプラスチック或いは金属などを用いて形成した段ボールを使用する事ができる。
【００１７】
また上記本発明にかかる印刷物は、ハニカム部材及び背面部材の少なくとも何れかは、印刷の前後の何れかにおいて、表面処理や表面加工を行う事ができる。特に背面部材及びハニカム部材の少なくとも何れかが紙を用いて形成されている場合には、予め樹脂が含浸される加工紙を使用する事ができ、これにより当該印刷物の強度を高める事ができる。また、印刷後において透明な樹脂で被覆したクリアコート層を設ける事により、耐水性や保形強度を高める事ができる。そして当該背面部材及びハニカム部材の少なくとも何れかが樹脂や金属を用いて形成されている場合には、印刷したインクの載りを良くする為にプライマーなどの接着剤を塗布しておくことも望ましい。
【００１８】
上記本発明にかかる印刷物は、ポスターや絵画などの印刷物である他、商品カタログ、看板、或いは書籍など様々なものを含むことができる。これらの印刷物において、印刷面側にハニカム構造体が存在する事から、従来における平面に印刷したものとは異なる視覚効果を発現する事ができる。また、本発明にかかる印刷物は、波打った断面部であるハニカム構造端面が露出している事から、このハニカム構造端面を表面に存在させることで、吸音性や遮音性の効果も発現させることができ、よって壁材などの建築材料として使用する事もできる。
【００１９】
本発明にかかる印刷物において背面部材を設けた場合、前記印刷は、ハニカム構造端面、及び／又はハニカム構造端面における開口の底面（即ち背面部材の正面側）に施すことができる。即ち、ハニカム構造に形成されているハニカム部材（多段段ボールにおける中芯の端面を含む）の端面として出現するハニカム構造端面に印刷を施す他、当該ハニカム構造における底面に存在する背面部材に印刷を施す事もでき、更にハニカム構造端面とハニカム構造の底面の両方に印刷を施す事もできる。
【００２０】
ハニカム構造端面だけに印刷した場合には、印刷面内に空洞からなる非印刷部が存在することになり、またハニカム構造端面から一定の深さまで印刷を施した場合には、当該印刷面を見る角度によって異ならせた印刷物とする事ができる。またハニカム部材の底面に存在する背面部材だけに印刷を施した場合には、当該ハニカム構造の開口部（セル）を通してのみ、当該背面部材に設けた印刷面を認識できる事から、印刷面を見る角度や、印刷面との距離によって見え方が異なる印刷物を実現する事ができる。更にハニカム構造端面と背面部材の両方に印刷を施した場合には、当該印刷面を見る角度の違い、及び当該印刷面との距離の違いに基づいた見え方の違いを一層顕著にすることができ、更に奥行きのある印刷が施された印刷物とする事もできる。
【００２１】
特にハニカム構造端面と背面部材の両方に印刷を施す場合において、ハニカム部材を透明な材料、例えばアクリルなどの樹脂を用いて形成した場合には、当該ハニカム部材の長さ分だけ、それぞれの印刷面が異なることになり、その結果、ハニカム構造端面への印刷が、背面部材の印刷から浮いた状態で認識させることができる。
【００２２】
そして、ハニカム構造端面と背面部材の両方に印刷を行う場合には、双方に同じ絵柄（写真などを含む）やキャラクタ（文字を含む）などを印刷する他、それぞれに異なる絵柄（写真などを含む）やキャラクタ（文字を含む）などを印刷する事もできる。例えば、ハニカム構造端面には文字などのキャラクタを印刷し、背面部材には写真などの絵柄を印刷する事もできる。このように形成すれば、見る方向や距離によって、ライナー部分への印刷が見えたり見えなかったりする事ができる。このように、ハニカム構造端面と背面部材に異なる印刷を行う場合には、それぞれに印刷を行った後、接合一体化して形成する他、予め印刷を施した背面部材に対してハニカム部材を接合し、これにインクジェット方式によってハニカム構造端面側から印刷する際に、当該ハニカム部材における空洞内に粉体などを充填しておき、ハニカム構造端面に対する印刷が終わった後で、当該粉体を取り出す事もできる。この場合、当該粉体は背面部材の印刷面を保護する為に機能する事ができる。
【００２３】
また、本発明の印刷物に対する印刷は、インクジェットプリンタやエアーブラシなどを用いて行う事の出来るインク吐出方式によって行う他、筆やナイフなどを用いて絵具、塗料又はインクを塗布することによって行う事ができ、更にスクリーン印刷によっても行う事ができる。特に、ハニカム構造端面や背面部材に印刷する場合には、如何なる方法で印刷を行っても良い。但し、ハニカム構造端面と背面部材の両方に、同時に印刷を行う場合には、インク吐出方式によって印刷を行うことが望ましい。この場合、特にハニカム部材の底面（開口の底面側）に背面部材を設けた被印刷物に対して、インクジェットプリンタなどによりインク吐出方式で印刷を行うと、当該ハニカム部材の端面であるハニカム構造端面のみならず、当該ハニカム構造端面から一定の深さまでの壁面、及び背面部材にインクを到達させることができ、これにより見る角度や印刷面との距離に応じて印刷面の見え方が異なるようにした印刷物が実現する。
【００２４】
また、被印刷物が前記の様に正面側にハニカム構造端面が露出すると共に、背面側には板状又はシート状の背面部材が設けられており、これに印刷を施した印刷物とする場合には、当該背面部材は光を透過する事もできる。背面部材を透明にする事により、当該印刷物に対して背面側（背面部材側）から、又は正面側（ハニカム構造端面側）から光を照射して、当該印刷を透過させることができ、これによりハニカム構造を影等によって出現させて、単に平面に印刷したものとは異なる視覚効果を発現させる事ができる。背面部材が光を透過するように形成するには、当該背面部材を透明な樹脂やガラスによって形成する他、背面部材を薄く形成する事により、光を透過させるように形成する事もできる。特に背面部材が透明な材料で形成されている場合には、ハニカム部材が設けられる面とは反対側（裏側面）に印刷を施すことにより、当該背面部材に印刷した絵柄やキャラクタが、当該背面部材を透過して、ハニカム構造端面の開口部から認識できるようにする事ができる。
【００２５】
そして本発明にかかる印刷物を用いて段ボール製品を製造する事もできる。即ち、段ボールからなる段ボール製品であって、少なくとも何れかの面には、上記本発明にかかる印刷物が露出している段ボール製品を提供する。
【００２６】
かかる段ボール製品によれば、本発明にかかる印刷物が露出している面は、見る角度や印刷面との距離が異なることにより当該印刷の見え方を変化させる事ができる段ボール製品とすることができる。また、背面部材が光を透過するように形成されている場合には、透過光を露出させることにより、ハニカム構造も陰影によって出現させた段ボール製品を実現する事ができる。この時、上記本発明にかかる印刷物は、必ずしもハニカム構造端面が表面側に露出している必要は無く、背面部材が露出するものとして形成する事ができる。
【００２７】
また、上記本発明にかかる印刷物を少なくとも一部に露出させた段ボール製品としては、立体的に形成されたディスプレイや、机、椅子、演台などの家具、或いは樹脂部材や金属部材などを伴って形成された看板等を含み、その他にも装飾品や実用品を含むものとする。
【発明の効果】
【００２８】
上記本発明にかかる印刷物によれば、単に平面に印刷したものとは異なる視覚効果を発現する事ができ、これに使用する被印刷物としては多段段ボール（紙製に限らず、プラスチック製や金属製のものも含む）を使用する事ができる事から、段ボールの新たな用途を開拓することで、段ボールの商品価値を高める事のできる印刷物及びこれを用いた段ボール製品を提供する事ができる。
【００２９】
また、印刷面側にはハニカム構造端面が出現している事から、印刷した絵柄やキャラクタに奥行き感を生じさせて立体的する事ができ、また見る角度や距離によって見え方を異ならせることができ、そして離れる事によって印刷した絵柄やキャラクタを緻密に認識できるといった油絵と同様の印象を醸し出す事ができる。
【図面の簡単な説明】
【００３０】
【図１】第１の実施の形態にかかる印刷物を示す（Ａ）分解斜視図、（Ｂ）Ｂ−Ｂ矢視断面図
【図２】第１の実施の形態にかかる印刷物の要部拡大断面図
【図３】第１の実施の形態にかかる印刷物の要部切断拡大図
【図４】第１の実施の形態にかかる印刷物の視野角を説明する略図
【図５】第２の実施の形態にかかる印刷物を示す（Ａ）分解斜視図、（Ｂ）Ｂ−Ｂ矢視断面図
【図６】第３の実施の形態にかかる印刷物を示す（Ａ）分解斜視図、（Ｂ）Ｂ−Ｂ矢視断面図
【図７】段ボール製品の実施の形態を示す斜視図
【発明を実施するための形態】
【００３１】
以下、図面を参照しながら、幾つかの実施の形態にかかる印刷物51を具体的に説明する。図１〜４は第一の実施の形態にかかる印刷物51を示しており、図において（Ａ）は分解斜視図、（Ｂ）はＢ−Ｂ矢視断面図を示しており、図２は当該印刷物51の要部拡大断面図を示しており、図３は当該印刷物51の要部切断拡大図を示しており、図４は当該印刷物51の視野角を説明する略図を示している。
【００３２】
この第１の実施の形態にかかる印刷物51は、板状又はシート状に形成した背面部材10に対して、ハニカム部材30におけるハニカム構造の開口部33が直交する向きでハニカム部材30を添接して被印刷物40を形成している。そしてこの被印刷物40には、ハニカム構造端面34が露出している正面側から印刷20を施している。特にこの実施の形態では、正面側からインクジェットプリンタ等を用いてインク吐出方式により印刷を行っており、その結果図１（Ｂ）に示す様に、ハニカム構造を形成しているハニカム部材30の端面（ハニカム構造端面34）にインクが付着すると共に、当該端面から奥行き方向の開口部33の壁面にもインクが付着している。そして当該インクを吐出した領域においては、当該ハニカムを形成する開口部33の底面に存在する背面部材10にまで、インクが付着している。
【００３３】
図２は以上のように形成した印刷物51と、その要部を拡大した状態を示している。この図に示す様に、本実施の形態においては、印刷を施した部分（インクを吐出した部分）では、ハニカム構造を形成している壁材（即ちライナー32及び中芯31）の端面にインクが付着している。特にこの実施の形態では、ハニカム部材30として紙製のハニカム部材30を使用していることから、当該紙材の毛羽に対してインクが付着し、十分な視認性を確保することができる。なお、ハニカム部材30が樹脂などで形成されている場合には、ハニカムを形成する壁面を一定の厚さを有するように形成すれば視認性を高める事ができ、更に当該端面にインクを吸収可能なコーティングを施すことにより、当該図２と同様に、ハニカム端面における印刷の視認性を高める事ができる。
【００３４】
図３は、前記図１に示した印刷物51において、ハニカムの開口部33の延伸方向に沿う向きに切断した状態を示す要部拡大断面図である。この図に示す様に、インクジェットなどのインク吐出方式によって印刷を行う事により、ハニカム構造における開口部33の底面に存在する背面部材10にまで、インクを到達させることができる。その結果、当該印刷物51の正面であって、ハニカムの開口部33の延長方向から見た場合には、当該ハニカム構造端面34の印刷と、当該背面部材10における印刷とが同時に認識されることになる。その際、当該ハニカム部材30は、ハニカムの開口部33の延伸方向に一定の長さを備えて構成されている事から、その長さ分、ハニカム構造端面34の印刷部分が、当該背面部材10における印刷部分から浮いた状態で存在する事ができ、これにより奥行き感のある立体感を醸し出す事ができる。但し、このハニカム部材30の長さは、ハニカムの開口部33の底面に光が到達できる長さであることが望まし。よって当該ハニカム部材30の長さは、ハニカムの開口の大きさにもよるが、一般的な大きさの開口（縦横20ｍｍ以下）であれば、２０ｃｍ以下、望ましくは１０ｃｍ以下、特に望ましくは５ｃｍ以下に形成する。
【００３５】
図４は、本実施の形態にかかる印刷物51の視覚効果を説明するものであり、説明の都合上、印刷物51をハニカムの空洞の延伸方向に沿う向きに縦に切断した状態を示している。この図に示す様に、利用者がこの印刷物51を近い位置から見た場合には、視線の正面と、その近傍に存在する開口部33においては、底面の背面部材10に施した印刷を視認する事ができる。一方で、この使用者の視線から離れた場所に存在するハニカムの開口部33においては、ハニカム構造端面34に施された印刷は確認できるものの、ハニカム構造を構成している壁面（即ちライナー32及び中芯31）に施された印刷は、図４に矢印Ｘで示す範囲しか確認する事ができず、よって視認が困難になる。これにより、使用者が見る場所によって、印刷面が異なる印刷物51とする事ができる。特にこの図４に示す実施の形態において、当該印刷物51から十分に離れた場所から見た場合には、使用者は、当該印刷物51における全てのハニカムの開口部33の底面に施された印刷を確認することができることから、当該印刷した絵柄や文字などのキャラクタを明瞭に認識する事ができる。
【００３６】
なお、この図４に関連し、例えばハニカムを構成する壁面の内、一方の壁面と他方の壁面とに異なる印刷を施した場合には、見る方向によって異なる絵柄やキャラクタなどが出現する印刷物51とする事ができる。この場合、印刷に際しては、エアーブラシなどを用いて、ハニカム構造端面34に対して斜め方向から印刷を行い、他の絵柄やキャラクタ等を印刷する場合は、最初に印刷したのとは異なる方向（望ましくは逆方向）から印刷することにより、実現する事ができる。
【００３７】
図５は第２の実施の形態にかかる印刷物52を示しており、この図に示す印刷物51は、ハニカムの背面側の面に設けられる背面部材10に対して印刷20を施し、当該印刷面に対してハニカム部材30を設けた実施の形態である。このように背面部材10に対して印刷20を施した場合には、正面側からのみ、当該印刷面20を視認できる印刷物51となる、即ち、視野角の有る印刷物51となる。このように、背面部材10印刷を施した場合には、更に当該ハニカム構造端面34に対して、背面部材10に施した印刷とは異なる印刷を施す事もできる。その結果、当該印刷物51の斜め方向から見た場合には、ハニカム構造端面34に施した印刷が確認され、正面から見た場合には、背面部材10に施した印刷も同時に確認される事から、これを見たものに対する驚きを与える事ができ、単なる平板やボードに対して印刷した物とは異なる印象を醸し出す事ができる。
【００３８】
図６は、第３の実施の形態にかかる印刷物53を示しており、特に背面部材10を透明な材料で形成するか、或いは光を透過できる程度に薄く形成しており、当該背面部材10の背面側に、印刷を施した実施の形態を示している。このように形成した印刷物51は、被印刷物40として、ハニカム部材30と背面部材10とが接合一体化されて供給されている場合であっても、本発明の効果を発現できる印刷物51とする事ができる。なお、当該背面部材10が光を透過するように形成されている場合には、更に背面側から光を照射させることにより、正面側のハニカム構造の空洞部(セル)を通してドット状に印刷を視認できる印刷物51が実現する。
【００３９】
図７は、上記印刷物50を用いて形成した段ボール製品60の実施の形態を示す斜視図である。この図に示す実施の形態は、特に商品を陳列展示する為のディスプレイとして具体化した実施の形態を示している。当該商品ディスプレイ（段ボール製品60）では、消費者の関心を最も高めたい商品設置部分61に、ハニカム構造端面34に対して印刷を行った印刷物50を設けている。これにより、消費者の視線を、円滑に当該商品62（図面では携帯電話機）に移す事ができ、これにより消費者における関心を高める事ができる。なお、本実施の形態における段ボール製品60は、架台65などは段ボールを用いて形成する他、木材や金属で形成する事もできる。また、当該印刷物もハニカム部材30と背面部材10によって形成している。
【産業上の利用可能性】
【００４０】
上記本発明にかかる印刷物は、従前における印刷物に代えて利用する事ができ、更に当該印刷物を用いる事により、これまでに無い視覚効果を発現できるディスプレイにおいても利用する事ができる。
【符号の説明】
【００４１】
10    背面部材
20    印刷面（印刷）
30    ハニカム部材
31    中芯
32    ライナー
33    開口部
34    ハニカム構造端面
40    被印刷物
50    印刷物
51、52、53    印刷物
60    段ボール製品
61    商品設置部分
62    商品
【図１】
2017113951.tif 000003
【図２】
2017113951.tif 000004
【図３】
2017113951.tif 000005
【図４】
2017113951.tif 000006
【図５】
2017113951.tif 000007
【図６】
2017113951.tif 000008
【図７】
2017113951.tif 000009